(57)【要約】【課題】  予め生成された電気的な画像信号を可視画像として再生する際に、操作性がよく、配置のために新たなスペースや部品を必要としない操作部材を備えるカメラを提供する。【解決手段】  撮影光学系を保持するレンズ鏡筒４６を含む撮像装置と、予め生成された電気的な画像信号を格納する画像記憶部５７と、記憶手段に格納された電気的な画像信号を可視画像として表示する液晶モニタＬＣＤと、マイクロコンピュータ４９とを備える。レンズ鏡筒４６は、撮影光学系の光軸に同軸の円筒状であり、ユーザにより手動で回転操作が可能であるフォーカスリング３２と、フォーカスリング３２の回転角度に応じた信号を出力するフォーカスリニアセンサ３５とを含む。マイクロコンピュータ４９は、フォーカスリニアセンサ３５から出力される信号に基づいて、画像記憶部５７に格納された電気的な画像信号から液晶モニタＬＣＤに表示すべき電気的な画像信号を特定する。【選択図】  図１０
2005295056.tif 000002
【特許請求の範囲】
【請求項１】
予め生成された電気的な画像信号を可視画像として再生可能なカメラであって、
被写体の光学的な像を形成する撮影光学系を保持するレンズ鏡筒を含む撮像装置と、
予め生成された前記電気的な画像信号を格納する記憶手段と、
前記記憶手段に格納された前記電気的な画像信号を可視画像として表示する表示手段と、
制御手段とを備え、
前記レンズ鏡筒は、
前記撮影光学系の光軸に同軸の円筒状であり、ユーザにより手動で回転操作が可能である第１の操作部材と、
前記第１の操作部材の回転角度に応じた信号を出力する回転角度検知手段とを含み、
前記制御手段は、前記回転角度検知手段から出力される信号に基づいて、前記記憶手段に格納された前記電気的な画像信号から前記表示手段に表示すべき前記電気的な画像信号を特定する、カメラ。
【請求項２】
前記記憶手段は、前記回転角度検知手段から出力される信号に対応する所定の番地を割り付けられた複数の静止画像に対応する前記電気的な画像信号を格納しており、
前記制御手段は、前記回転角度検知手段から出力される信号に対応する前記番地に基づいて、前記記憶手段に格納されている前記電気的な画像信号から表示すべき静止画像に対応する前記電気的な画像信号を特定する、請求項１に記載のカメラ。
【請求項３】
前記記憶手段は、前記電気的な画像信号を格納する際に、前記静止画像が撮影された順に所定の番地を割り付けて格納する、請求項２に記載のカメラ。
【請求項４】
前記記憶手段は、前記電気的な画像信号を格納する際に、前記静止画像に付された所定の属性に基づいて所定の番地を割り付けて格納する、請求項２に記載のカメラ。
【請求項５】
前記記憶手段は、前記回転角度検知手段から出力される信号に対応する所定のタイムコードを割り付けられた動画像に対応する前記電気的な画像信号を格納しており、
前記制御手段は、前記回転角度検知手段から出力される信号に対応する前記タイムコードに基づいて、前記記憶手段に格納されている前記電気的な画像信号から表示すべき動画像のタイミングを特定する、請求項１に記載のカメラ。
【請求項６】
前記制御手段は、新たな画像の撮影に際し、前記第１の操作部材の操作により、前記撮影光学系の焦点距離と、前記撮影光学系の絞り値と、前記撮影光学系の物体距離との内のいずれか一つを変更する、請求項１に記載のカメラ。
【請求項７】
予め生成された電気的な画像信号を可視画像として再生可能な制御装置に接続して用いられる撮像装置であって、
前記被写体の光学的な像を形成する撮影光学系と、
前記撮影光学系の光軸に同軸の円筒状であり、ユーザにより手動で回転操作が可能である第１の操作部材と、
前記第１の操作部材の回転角度に応じた信号を出力する回転角度検知手段とを含み、
前記制御装置は、
予め生成された前記電気的な画像信号を格納する記憶手段と、
前記記憶手段に格納された前記電気的な画像信号を可視画像として表示する表示手段と、
前記回転角度検知手段から出力される信号に基づいて、前記記憶手段に格納された前記電気的な画像信号から前記表示手段に表示すべき前記電気的な画像信号を特定する制御手段とを備える、撮像装置。
【請求項８】
予め生成された電気的な画像信号を可視画像として再生するための再生可能なカメラ本体に接続されるレンズ鏡筒であって、
被写体の光学的な像を形成する撮影光学系と、
前記撮影光学系の光軸に同軸の円筒状であり、ユーザにより手動で回転操作が可能である第１の操作部材と、
前記第１の操作部材の回転角度に応じた信号を出力する回転角度検知手段とを備え、
前記カメラ本体は、
予め生成された前記電気的な画像信号を格納する記憶手段と、
前記記憶手段に格納された前記電気的な画像信号を可視画像として表示する表示手段と、
外部から入力される信号に基づいて制御される制御手段とを備え、
前記回転角度検知手段からの出力を、前記制御手段に入力させることにより、前記記憶手段に格納された前記電気的な画像信号から前記表示手段に表示すべき前記電気的な画像信号を特定させる、レンズ鏡筒。
【請求項９】
レンズ鏡筒に接続して用いられ、予め生成された電気的な画像信号を可視画像として再生するための再生可能なカメラ本体であって、
予め生成された前記電気的な画像信号を格納する記憶手段と、
前記記憶手段に格納された前記電気的な画像信号を可視画像として表示する表示手段と、
制御手段とを備え、
前記レンズ鏡筒は、
被写体の光学的な像を形成する撮影光学系と、
前記撮影光学系の光軸に同軸の円筒状であり、ユーザにより手動で回転操作が可能である第１の操作部材と、
前記第１の操作部材の回転角度に応じた信号を出力する回転角度検知手段とを備え、
前記制御手段は、前記回転角度検知手段から出力される信号に基づいて、前記記憶手段に格納された前記電気的な画像信号から前記表示手段に表示すべき前記電気的な画像信号を特定する、カメラ本体。
【発明の詳細な説明】
【技術分野】
【０００１】
本発明は、カメラに関し、特定的には、予め生成された電気的な画像信号を可視画像として再生可能なカメラに関する。また、本発明は、制御装置に接続される撮像装置に関し、特定的には、予め生成された電気的な画像信号を可視画像として再生可能な制御装置に接続される撮像装置に関する。さらに、本発明は、カメラ本体及びそのカメラ本体に接続されるレンズ鏡筒に関し、特定的には、予め生成された電気的な画像信号を可視画像として再生可能なカメラ本体と、そのカメラ本体に接続されるレンズ鏡筒に関する。
【背景技術】
【０００２】
近年、被写体の光学的な像を電気的な画像信号に変換して出力可能なデジタルスチルカメラやデジタルビデオカメラ（以下、単にデジタルカメラという）が、急速に普及している。デジタルカメラについては、オートフォーカスのハイスピード化や本体の小型軽量化等を主眼としたフルオートモデルと、フォーカシングのマニュアル操作を行うフォーカスリングや露出設定のマニュアル操作を行う絞りリング等を備えたハイエンドモデルとに大別される。最近では、デジタルカメラにより撮影される画像の品質が向上してきたため、自分で操作できる喜びを享受できるハイエンドモデルの人気も高まりつつある。
【０００３】
デジタルカメラは、表示装置として液晶モニタＬＣＤを持つ。また、デジタルカメラは、一般的に、電気的な画像信号の取得を行う撮影モードと、予め生成された電気的な画像信号を可視画像として再生するための再生モードとを持つ。このような、デジタルカメラは、本体に設けられた操作部材により、再生すべき画像を特定して液晶モニタＬＣＤに表示させる。
【０００４】
例えば、特許文献１には、十字操作キーを持つデジタルカメラが開示されている。特許文献１に開示されたデジタルカメラは、ユーザが十字操作キーを操作することにより、予め生成された静止画像、あるいは動画像を読み出して、液晶モニタに表示することにより再生ができる。
【特許文献１】特開平１１−２８４８８４号公報
【発明の開示】
【発明が解決しようとする課題】
【０００５】
特許文献１に開示されたデジタルカメラは、ユーザが十字操作キーを操作して、再生すべき画像を特定している。そして、特許文献１に開示されたデジタルカメラは、予め生成され記憶メディアに格納されている静止画像から、ユーザが十字操作キーにより所望の画像を１個ずつスクロールする必要があった。
【０００６】
このため、特許文献１に開示されたデジタルカメラは、静止画像が多数ある場合、ユーザが所望の静止画像を表示させるために、十字操作キーを頻繁に操作しなければならなかった。特に、近年では大容量の記憶メディアも安価に入手できるようになっているため、記録画素数が大きいハイエンドモデルであっても大量の画像を格納することができるようになってきている。したがって、ユーザが所望の画像を表示したい場合、時間及び手間がかかり、操作性が悪いという課題を有していた。
【０００７】
また、所定の画像をダイレクトに表示するように、デジタルカメラに専用の操作部材を配置することも考えられる。しかしながら、専用の操作部材を配置するために、デジタルカメラにスペースを設けなければならなかった。また、専用の操作部材は、部品点数を増加させるという課題もあった。
【０００８】
本発明の第１の目的は、予め生成された電気的な画像信号を可視画像として再生する際に、操作性がよく、配置のために新たなスペースや部品を必要としない操作部材を備えるカメラを提供することである。
【０００９】
また、本発明の第２の目的は、操作性がよく、配置のために新たなスペースや部品を必要としない操作部材を備え、当該操作部材を操作することにより予め生成された電気的な画像信号を可視画像として再生する撮像装置を提供することである。
【００１０】
また、本発明の第３の目的は、操作性がよく、配置のために新たなスペースや部品を必要としない操作部材を備え、当該操作部材を操作することにより予め生成された電気的な画像信号を可視画像として再生することができるレンズ鏡筒、及びそのレンズ鏡筒に接続されるカメラ本体を提供することである。
【課題を解決するための手段】
【００１１】
上記第１の目的は、以下のカメラにより達成される。
予め生成された電気的な画像信号を可視画像として再生可能なカメラであって、被写体の光学的な像を形成する撮影光学系を保持するレンズ鏡筒を含む撮像装置と、予め生成された電気的な画像信号を格納する記憶手段と、記憶手段に格納された電気的な画像信号を可視画像として表示する表示手段と、制御手段とを備え、レンズ鏡筒は、撮影光学系の光軸に同軸の円筒状であり、ユーザにより手動で回転操作が可能である第１の操作部材と、第１の操作部材の回転角度に応じた信号を出力する回転角度検知手段とを含み、制御手段は、回転角度検知手段から出力される信号に基づいて、記憶手段に格納された電気的な画像信号から表示手段に表示すべき電気的な画像信号を特定する。
本発明は、以上の構成を備えているので、ユーザが手動で第１の操作部材を回転操作することにより、表示すべき画像を特定することができる。したがって、カメラに配置のために新たなスペースや部品を必要とすることがない。また、本発明は、第１の操作部材がレンズ鏡筒に設けられているので、ユーザの操作性がよい。
【００１２】
好ましくは、記憶手段は、回転角度検知手段から出力される信号に対応する所定の番地を割り付けられた複数の静止画像に対応する電気的な画像信号を格納しており、制御手段は、回転角度検知手段から出力される信号に対応する番地に基づいて、記憶手段に格納されている電気的な画像信号から表示すべき静止画像に対応する電気的な画像信号を特定する。
本発明は、以上の構成を備えているので、ユーザが手動で第１の操作部材を回転操作することにより、所望の静止画像を特定することができる。
【００１３】
一例として、記憶手段は、電気的な画像信号を格納する際に、静止画像が撮影された順に所定の番地を割り付けて格納する。
本発明は、以上の構成を備えているので、ユーザが手動で第１の操作部材を回転操作することにより、時系列で画像がスクロールされ、ユーザが容易に所望の静止画像を特定することができる。
【００１４】
他の例として、記憶手段は、電気的な画像信号を格納する際に、静止画像に付された所定の属性に基づいて所定の番地を割り付けて格納する。
本発明は、以上の構成を備えているので、ユーザが手動で第１の操作部材を回転操作することにより、属性ごとに画像がスクロールされ、ユーザが容易に所望の静止画像を特定することができる。
【００１５】
好ましくは、記憶手段は、回転角度検知手段から出力される信号に対応する所定のタイムコードを割り付けられた動画像に対応する電気的な画像信号を格納しており、制御手段は、回転角度検知手段から出力される信号に対応するタイムコードに基づいて、記憶手段に格納されている電気的な画像信号から表示すべき動画像のタイミングを特定する。
本発明は、以上の構成を備えているので、ユーザが手動で第１の操作部材を回転操作することにより、時系列で動画像がスクロールされ、ユーザが容易に所望の動画像のキャプチャー画像を特定して、その位置から再生を開始することができる。
【００１６】
好ましくは、制御手段は、新たな画像の撮影に際し、第１の操作部材の操作により、撮影光学系の焦点距離と、撮影光学系の絞り値と、撮影光学系の物体距離との内のいずれか一つを変更する。
本発明は、以上の構成を備えているので、ユーザは、第１の操作部材を、いわゆるズームリング、絞りリング、フォーカスリングのいずれかとして機能させることができる。
【００１７】
上記第２の目的は、以下の撮像装置により達成される。
予め生成された電気的な画像信号を可視画像として再生可能な制御装置に接続される撮像装置であって、被写体の光学的な像を形成する撮影光学系と、撮影光学系の光軸に同軸の円筒状であり、ユーザにより手動で回転操作が可能である第１の操作部材と、第１の操作部材の回転角度に応じた信号を出力する回転角度検知手段とを備え、前記制御装置は、予め生成された電気的な画像信号を格納する記憶手段と、記憶手段に格納された電気的な画像信号を可視画像として表示する表示手段と、回転角度検知手段から出力される信号に基づいて、記憶手段に格納された電気的な画像信号から表示手段に表示すべき電気的な画像信号を特定する制御手段とを備える。
本発明は、以上の構成を備えているので、ユーザが手動で第１の操作部材を回転操作することにより、表示すべき画像を特定することができる。したがって、制御装置側に配置のために新たなスペースや部品を必要とすることがない。また、本発明は、第１の操作部材がレンズ鏡筒に設けられているので、ユーザの操作性がよい。
【００１８】
上記第３の目的は、以下のレンズ鏡筒により達成される。
予め生成された電気的な画像信号を可視画像として再生するための再生可能なカメラ本体に接続されるレンズ鏡筒であって、被写体の光学的な像を形成する撮影光学系と、撮影光学系の光軸に同軸の円筒状であり、ユーザにより手動で回転操作が可能である第１の操作部材と、第１の操作部材の回転角度に応じた信号を出力する回転角度検知手段とを備え、カメラ本体は、予め生成された電気的な画像信号を格納する記憶手段と、記憶手段に格納された電気的な画像信号を可視画像として表示する表示手段と、外部から入力される信号に基づいて制御される制御手段とを備え、回転角度検知手段からの出力を、制御手段に入力させることにより、記憶手段に格納された電気的な画像信号から表示手段に表示すべき電気的な画像信号を特定させる。
本発明は、以上の構成を備えているので、ユーザが手動で第１の操作部材を回転操作することにより、表示すべき画像を特定することができる。したがって、カメラ本体に配置のために新たなスペースや部品を必要とすることがない。また、本発明は、第１の操作部材がレンズ鏡筒に設けられているので、ユーザの操作性がよい。
【００１９】
上記第３の目的は、以下のカメラ本体により達成される。
レンズ鏡筒に接続して用いられ、予め生成された電気的な画像信号を可視画像として再生するための再生可能なカメラ本体であって、予め生成された電気的な画像信号を格納する記憶手段と、記憶手段に格納された電気的な画像信号を可視画像として表示する表示手段と、制御手段とを備え、レンズ鏡筒は、被写体の光学的な像を形成する撮影光学系と、撮影光学系の光軸に同軸の円筒状であり、ユーザにより手動で回転操作が可能である第１の操作部材と、第１の操作部材の回転角度に応じた信号を出力する回転角度検知手段とを備え、制御手段は、回転角度検知手段から出力される信号に基づいて、記憶手段に格納された電気的な画像信号から表示手段に表示すべき電気的な画像信号を特定する。
本発明は、以上の構成を備えているので、ユーザが手動で第１の操作部材を回転操作することにより、表示すべき画像を特定することができる。したがって、カメラ本体に配置のために新たなスペースや部品を必要とすることがない。また、本発明は、第１の操作部材がレンズ鏡筒に設けられているので、ユーザの操作性がよい。
【発明の効果】
【００２０】
本発明によって、予め生成された電気的な画像信号を可視画像として再生する際に、操作性がよく、配置のために新たなスペースや部品を必要としない操作部材を備えるカメラを提供することができる。
【００２１】
本発明により、操作性がよく、配置のために新たなスペースや部品を必要としない操作部材を備え、当該操作部材を操作することにより予め生成された電気的な画像信号を可視画像として再生する撮像装置を提供することができる。
【００２２】
本発明により、操作性がよく、配置のために新たなスペースや部品を必要としない操作部材を備え、当該操作部材を操作することにより予め生成された電気的な画像信号を可視画像として再生することができるレンズ鏡筒、及びそのレンズ鏡筒に接続されるカメラ本体を提供することができる。
【発明を実施するための最良の形態】
【００２３】
（実施の形態１）
図１は、本発明の実施の形態１に係るデジタルカメラ１の上面図である。デジタルカメラ１は、概略、撮像装置ＴＬと、本体ＢＤとを備える。なお、実施の形態のすべての説明において、撮影光学系Ｌの光軸ＡＸを基準に座標系を定める。すなわち、撮影光学系Ｌの光軸ＡＸに平行な方向をｚ方向とし、このｚ方向に垂直で図１の上面図に平行な面に含まれる方向をｘ方向とする。また、ｚ方向及びｘ方向の両方向に垂直な方向をｙ方向とする。このｘｙｚ座標系は、３次元直交座標系である。
【００２４】
本体ＢＤは、被写体を撮影する際に撮影者により支持される筐体である。本体ＢＤは、シャッターボタン６３と、シャッタースピード設定ダイヤル６４とを含む。シャッターボタン６３と、シャッタースピード設定ダイヤル６４とは、本体ＢＤの上面の右側に設けられている。
【００２５】
シャッタースピード設定ダイヤル６４は、回転操作することにより、シャッタースピードの設定を行う操作部材である。また、シャッタースピード設定ダイヤル６４は、シャッタースピードが自動設定されるオートの位置を有する。
【００２６】
また、本体ＢＤは、液晶モニタＬＣＤと、スピーカＳＰとを含む。液晶モニタＬＣＤと、スピーカＳＰとは、本体ＢＤの撮影者側の面に設けられている。液晶モニタＬＣＤ及びスピーカＳＰの作用については後述する。
【００２７】
撮像装置ＴＬは、レンズ鏡筒４６と、撮像センサ１６とを含む。レンズ鏡筒４６は、内部に後述する撮影光学系Ｌを保持する。撮像センサ１６は、ＣＣＤである。撮像センサ１６は、撮影光学系Ｌが形成する光学的な像を電気的な画像信号に変換する。
【００２８】
レンズ鏡筒４６は、最も被写体側に、フィルタマウント２９を持つ。レンズ鏡筒４６は、フィルタマウント２９から本体ＢＤ側へ（ｚ軸の負の方向）向けて順に、ズームリング２６と、フォーカスリング３２と、絞りリング４０とを有する。ズームリング２６と、フォーカスリング３２と、絞りリング４０とは、いずれも円筒状の回転操作部材であり、レンズ鏡筒４６の外周面において回転可能に配置されている。
【００２９】
図２は、本発明の実施の形態１に係るデジタルカメラ１の背面図である。本体ＢＤは、電源ボタン７０、撮影／再生モード切り替えレバー７１、ＭＥＮＵボタン７２、十字操作キー７３、およびＳＥＴボタン７４と、画像操作キー７５とを含む。
【００３０】
電源ボタン７０は、デジタルカメラ１の電源のＯＮ／ＯＦＦを行う操作部材である。撮影／再生モード切り替えレバー７１は、レバーの切り替えを行うことにより、撮影モードと再生モードとの切り替えを行う操作部材である。ここで、撮影モードとは、デジタルカメラ１において、被写体を新たに撮影して画像信号にするために設定されるモードである。また、再生モードとは、デジタルカメラ１において、既に撮影して格納されている画像信号を表示するために設定されるモードである。
【００３１】
ＭＥＮＵボタン７２は、液晶モニタＬＣＤに、各種操作メニューを表示させるための操作部材である。十字操作キー７３は、上下、左右の矢印キーを有し、各種操作メニューの表示項目を選択するための操作部材である。ＳＥＴボタン７４は、各種操作メニューの表示項目を確定するための操作部材である。画像操作キー７５は、上下の矢印キーを有し、画像を再生する際に画像の検索を行うための操作部材である。
【００３２】
フォーカスリング３２は、円筒形状である。図３（ａ）は、本発明の実施の形態に係るフォーカスリングの外周面の展開図、図３（ｂ）は、本発明の実施の形態に係るフォーカスリングの内周面の展開図である。
【００３３】
図１、図３（ａ）において、フォーカスリング３２は、外周面に物点距離を表示する。物点距離の表示領域は４つの領域に分かれている。図３（ａ）中、［０．３］から［０．６］の表示部分が手動によりフォーカスリング３２の操作が許容されるマクロ撮影領域に対応する。また、［０．６］から［∞］の表示部分が手動によりフォーカスリング３２の操作が許容される通常撮影領域に対応する。また、［ＡＦ］の表示部分が手動によりフォーカスリング３２の操作が禁止される通常撮影領域に対応する。また、［ＡＦ−Ｍａｃｒｏ］の表示部分が手動によりフォーカスリング３２の操作が禁止されるマクロ撮影領域に対応する。図３（ｂ）において、フォーカスリング３２は、内周面に直線のカム溝３４を持つ。カム溝３４は、後述するフォーカスリニアセンサ３５の摺動子３５ａと結合する。
【００３４】
図４は、本発明の実施の形態１に係るレンズ鏡筒の断面図である。レンズ鏡筒４６は、外周側に、絞りリング４０と、フォーカスリング３２と、ズームリング２６とを、回転操作可能に保持する。絞りリング４０と、フォーカスリング３２とは、円筒形状を有するリング固定枠３６に保持される。フォーカスリング３２の内周面は、リング固定枠３６の摺動面３６ｃと嵌め合い保持される。フォーカスリング３２は、光軸ＡＸに平行な方向において、リング固定枠３８の端面３８ｃと、リング固定枠３６の端面３６ｄとにより規制される。リング固定枠３８は、リング固定枠３６に固定される。この構成により、フォーカスリング３２は、光軸ＡＸまわりに回転可能に保持される。また、リング固定枠３６は、フォーカスリニアセンサ３５を固定する。
【００３５】
また、レンズ鏡筒は、内部にフォーカスモータ１５を有する。フォーカスモータ１５は、後述する制御により、フォーカスリング３２の回転角度に応じてフォーカスレンズ群を光軸方向に駆動する。フォーカスレンズ群が駆動されることにより、撮影光学系Ｌの物体距離が変更される。
【００３６】
図５は、本発明の実施の形態に係るフォーカスリングとフォーカスリニアセンサの結合を示す断面図である。図５において、フォーカスリング３２に形成されたカム溝３４は、フォーカスリニアセンサ３５の摺動子３５ａと結合する。フォーカスリング３２の内周面は、第３のリング固定枠３６の摺動面３６ｃと嵌め合い保持される。
【００３７】
図７は、本発明の実施の形態に係るフォーカスリングの回転角度とフォーカスリニアセンサの出力値の関係を示すグラフである。図３及び図７において、フォーカスリング３２上に表示された文字［０．３］が、指標３３と一致する角度に位置する場合、フォーカスリニアセンサ３５の摺動子３５ａは、カム溝３４上のＡの位置にある。その場合、フォーカスリニアセンサ３５の出力値は、Ａ‘となる。
【００３８】
フォーカスリング３２上に表示された文字［０．６］が、指標３３と一致する角度に位置する場合、フォーカスリニアセンサ３５の摺動子３５ａは、カム溝３４上のＢの位置にある。その場合、フォーカスリニアセンサ３５の出力値は、Ｂ‘となる。
【００３９】
フォーカスリング３２上に表示された文字［∞］が、指標３３と一致する角度に位置する場合、フォーカスリニアセンサ３５の摺動子３５ａは、カム溝３４上のＣの位置にある。その場合、フォーカスリニアセンサ３５の出力値は、Ｃ‘となる。
【００４０】
フォーカスリング３２上に表示された文字［ＡＦ］が、指標３３と一致する角度に位置する場合、フォーカスリニアセンサ３５の摺動子３５ａは、カム溝３４上のＤの位置にある。その場合、フォーカスリニアセンサ３５の出力値は、Ｄ‘となる。
【００４１】
フォーカスリング３２上に表示された文字［ＡＦ−Ｍａｃｒｏ］が、指標３３と一致する角度に位置する場合、フォーカスリニアセンサ３５の摺動子３５ａは、カム溝３４上のＥの位置にある。その場合、フォーカスリニアセンサ３５の出力値は、Ｅ‘となる。
【００４２】
このように、フォーカスリニアセンサ３５は、フォーカスリング３２の回転角度と一対一で対応する出力を示す。したがって、フォーカスリング３２の回転角度を検出することができる。フォーカスリニアセンサ３５は、回転角度に応じたフォーカス位置信号を電圧変化として出力する。
【００４３】
フォーカスリング３２は、外周面にフォーカスモード切り替えボタン３７を持つ。図８（ａ）は、本発明の実施の形態に係るフォーカスリングが第１の停止位置にある場合の略断面図である。また、図８（ｂ）は、本発明の実施の形態に係るフォーカスリングが第１の停止位置と第２の停止位置との間にある場合の略断面図である。また、図８（ｃ）は、本発明の実施の形態に係るフォーカスリングが第２の停止位置にある場合の略断面図である。なお、図中かっこで記した符号は、絞りリング４０の構造を説明する場合に相当するため、フォーカスリング３２の構造に関連する説明では無視してよい。また、図８（ａ）〜（ｃ）の（１）は、フォーカスモード切り替えボタン３７の中心を通り光軸ＡＸを含む平面でカットした略断面図である。また、図８（ａ）〜（ｃ）の（１）は、フォーカスモード切り替えボタン３７の中心を通り光軸ＡＸに垂直な面（ｘｙ面）でカットした略断面図である。
【００４４】
図中に矢印Ｋで示した方向は、光軸ＡＸ回りの回転方向を示す。フォーカスリング３２において、第１の停止位置は、図３（ａ）に示す文字［∞］の位置に相当する。また、フォーカスリング３２において、第２の停止位置は、図３（ａ）に示す文字［ＡＦ］の位置に相当する。
【００４５】
フォーカスモード切り替えボタン３７は、フォーカスリング３２の横穴３２ａに位置する。フォーカスモード切り替えボタン３７は、フォーカスリング３２との間に圧縮バネ３９が設けられている。フォーカスモード切り替えボタン３７は、圧縮バネの作用により、フォーカスリング３２の外周方向に付勢されながら図の矢印Ｊ方向に移動可能である。フォーカスモード切り替えボタン３７は、フォーカスリング３２の内側に隠れる部分に、光軸ＡＸ方向に突き出た係止部３７ａを有する。
【００４６】
図８（ａ）において、フォーカスリング３２が第１の停止位置に到達すると、フォーカスモード切り替えボタン３７の係止部３７ａが、第２のリング固定枠３８に設けられた係止部３８ａに当接する。したがって、フォーカスモード切り替えボタン３７が操作されない限り、フォーカスリング３２のＫ方向の回転は禁止される。
【００４７】
フォーカスリング３２が第１の停止位置にある場合、フォーカスモード切り替えボタン３７を押し込んでさらにＫ方向に回転すると、フォーカスモード切り替えボタン３７の係止部３７ａが内部に押し込まれる。
【００４８】
第２のリング固定枠３８に形成された係止部３８ａは、内部にフォーカスモード切り替えボタン３７の係止部３７ａが通過可能な空間が形成されている。したがって、フォーカスモード切り替えボタン３７は、押し込んでさらにＫ方向に回転するとＫ方向の回転が許容され、図８（ｂ）に示される第１の停止位置と第２の停止位置との間に進入する。
【００４９】
フォーカスモード切り替えボタン３７を押し込んだままさらにＫ方向に回転すると、フォーカスモード切り替えボタン３７の係止部３７ａは、Ｋ方向の回転が許容され、図８（ｃ）に示される第２の停止位置に到達する。第２の停止位置において、フォーカスモード切り替えボタン３７を押し込むことをやめると、フォーカスモード切り替えボタン３７は圧縮バネにより復元される。
【００５０】
フォーカスモード切り替えボタン３７がもとの状態に戻ると、フォーカスモード切り替えボタン３７の係止部３７ａが、第２のリング固定枠３８に設けられた係止部３８ａに当接する。したがって、フォーカスモード切り替えボタン３７が操作されない限り、フォーカスリング３２の逆方向の回転は禁止される。Ｋ方向の逆方向に回転する場合、第２の停止位置でフォーカスモード切り替えボタン３７を押し込みながら第１の停止位置までＫ方向の逆方向に回転して、第１の停止位置で押し込みをやめればよい。
【００５１】
絞りリング４０は、円筒形状である。図９は、本発明の実施の形態に係る絞りリングの外周面の展開図である。絞りリング４０は、絞りモード切り換えボタン４３を有する。絞りモード切り換えボタン４３は、絞りリング４０に一体的に設けられた押しボタンスイッチである。
【００５２】
図４及び図９において、絞りリング４０は、外周面に絞り値を表示する。絞り値の表示領域は２つの領域に分かれている。図１０中、［２］から［１１］までの表示部分がマニュアル領域に対応し、［Ａ］の表示部分がオート領域に対応する。なお、絞りリング４０の回転角度の検出方法、ならびに絞りモード切り替えボタン４０の操作方法については、先に説明した絞りリング４０と概略同一であるので、その説明は省略する。
【００５３】
また、レンズ鏡筒は、内部に絞りユニット２２を有する。絞りユニット２２は、内部に絞り羽根を駆動するための絞り駆動モータ２２ｂを含む。絞り駆動モータ２２ｂは、後述する制御により、絞りリング４０の回転角度に応じて絞り羽根を駆動する。絞り羽根が駆動されることにより、撮影光学系Ｌの絞り値が変更される。
【００５４】
図１０は、本発明の実施の形態１に係るデジタルカメラの制御システムを示すブロック図である。図１０において、全体のブロックは、デジタルカメラ１の制御を示す。なお、図１０において、点線で囲まれた範囲が撮像装置ＴＬを示す。デジタルカメラ１には、マイクロコンピュータ４９が搭載されており、各種制御部全体を制御する。
【００５５】
マイクロコンピュータ４９は、ズーム制御部６０と、シャッターボタン６３と、シャッタースピード設定ダイヤル６４と、撮影／再生モード切り替えレバー７１と、ＭＥＮＵボタン７２と、十字操作キー７３と、ＳＥＴボタン７４とから信号を受信可能である。マイクロコンピュータ４９は、シャッター制御部６５と、画像記録制御部５５と、画像表示制御部５８と、音声制御部５９とへ信号を送信可能である。マイクロコンピュータ４９は、フォーカス制御部６１と、絞り制御部６２と、デジタル信号処理部５３との間で信号を相互に交信可能である。また、マイクロコンピュータ４９は、信号を格納するメモリ６６を持つ。
【００５６】
ズーム制御部６０は、ズームリニアセンサ２１から信号を受信する。ズーム制御部６０は、ズームリニアセンサ２１により検出されたズームリング２６の回転量を撮影光学系Ｌの焦点距離情報に変換する。ズーム制御部６０は、焦点距離情報をマイクロコンピュータ４９へ送信する。
【００５７】
フォーカス制御部６１は、フォーカスリニアセンサ３５から信号を受信可能であり、Ａ／Ｄ変換部３５Ａを介して、フォーカス駆動モータ１５へ信号を送信可能である。フォーカス制御部６１は、フォーカスリニアセンサ３５により検出され、Ａ／Ｄ変換部３５Ａによりデジタル化されたフォーカスリング３２の回転角度より、フォーカスモードを判断する。フォーカス制御部６１は、判断した結果をマイクロコンピュータ４９へ送信する。フォーカス制御部６１は、マイクロコンピュータ４９からの指令に基づいてフォーカスリング３２の回転角度より検出した物点距離情報を、マイクロコンピュータ４９へ送信する。フォーカス制御部６１は、マイクロコンピュータ４９からの制御信号に基づいてフォーカスモータ１５を駆動する。
【００５８】
絞り制御部６２は、絞りリニアセンサ４１から信号を受信可能であり、Ａ／Ｄ変換部４１Ａを介して、絞り駆動モータ２２ｂへ信号を送信可能である。絞り制御部６２は、絞りリニアセンサ４１により検出され、Ａ／Ｄ変換部４１Ａによりデジタル化された絞りリング４０の回転角度により、絞りモードを判断する。絞り制御部６２は、判断した結果をマイクロコンピュータ４９へ送信する。絞り制御部６２は、マイクロコンピュータ４９からの指令に基づいて絞りリング４０の回転角度より検出した絞り値情報を、マイクロコンピュータ４９に送信する。絞り制御部６２は、マイクロコンピュータ４９からの制御信号に基づいて絞り駆動モータ２２ｂを駆動する。
【００５９】
シャッター制御部６５は、マイクロコンピュータ４９からの制御信号に基づいて絞り駆動モータ２２ａを駆動する。シャッターボタン６３は、マイクロコンピュータ４９へシャッタータイミングを送信する。シャッタースピード設定ダイヤル６４は、設定されたシャッタースピード情報及びシャッターモード情報を送信する。
【００６０】
撮像センサ１６は、ＣＣＤ（Ｃｈａｒｇｅ  Ｃｏｕｐｌｅｄ  Ｄｅｖｉｃｅ）である。撮像センサ１６は、レンズユニット２の撮影光学系ＴＬにより形成される光学的な像を電気的な画像信号に変換する。撮像センサ１６は、ＣＣＤ駆動制御部５０により駆動・制御される。撮像センサ１６から出力される画像信号は、アナログ信号処理部５１と、Ａ／Ｄ変換部５２と、デジタル信号処理部５３と、バッファメモリ５４と、画像圧縮部５６との順に処理される。
【００６１】
画像信号は、撮像センサ１６から、アナログ信号処理部５１へ送信される。アナログ信号処理部５１は、撮像センサ１６が出力する画像信号に、ガンマ処理等のアナログ信号処理を施す。画像信号は、アナログ信号処理部５１から、Ａ／Ｄ変換部５２へ送信される。Ａ／Ｄ変換部５２は、アナログ信号処理部５１から出力されたアナログ画像信号をデジタル信号に変換する。
【００６２】
画像信号は、Ａ／Ｄ変換部５２から、デジタル信号処理部５３へ送信される。デジタル信号処理部５３は、Ａ／Ｄ変換部５２によりデジタル信号に変換された画像信号のノイズ除去や輪郭強調等のデジタル信号処理を施す。画像信号は、デジタル信号処理部５３から、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）である。
【００６３】
画像信号は、画像記憶制御部５５からの指令に従って、バッファメモリ５４から、画像圧縮部５６に送信される。画像圧縮部５６は、画像記録制御部５５の指令に従って画像信号のデータを所定の大きさに圧縮する。画像信号は、所定の比率でデータの圧縮を受け、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。
【００６４】
圧縮された画像信号は、画像圧縮部５６から画像記録部５７及び液晶モニタＬＣＤへ送信される。一方、マイクロコンピュータ４９は、画像記録制御部５５及び画像表示制御部５８へ制御信号を送信する。画像記録制御部５５は、マイクロコンピュータ４９からの制御信号に基づいて画像記録部５７を制御する。画像表示制御部は、マイクロコンピュータ４９からの制御信号に基づいて液晶モニタＬＣＤを制御する。
【００６５】
画像記録部５７は、画像記録制御部５５の指令に基づいて、画像信号を内部メモリ及び／又はリムーバブルメモリに記録する。画像記録部５７は、画像記録制御部５５の指令に基づいて、画像信号とともに記憶すべき情報を、内部メモリ及び／又はリムーバブルメモリに記録する。画像信号とともに記憶すべき情報は、画像を撮影した際の日時，焦点距離情報，シャッタースピード情報，絞り値情報，撮影モード情報を含む。
【００６６】
液晶モニタＬＣＤは、画像表示制御部５８の指令に基づいて、画像信号を可視画像として表示する。液晶モニタＬＣＤは、画像表示制御部５８の指令に基づいて、画像信号とともに表示すべき情報を、表示する。画像信号とともに表示すべき情報は、焦点距離情報，シャッタースピード情報，絞り値情報，撮影モード情報，合焦状態情報の表示を含む。また、マイクロコンピュータ４９は、音声制御部５９へ制御信号を送信する。音声制御部５９は、マイクロコンピュータ４９からの制御信号に基づいてスピーカＳＰを駆動・制御する。スピーカＳＰは、外部へ所定のアラーム音を発する。
【００６７】
以下、画像を検索して液晶モニタに表示を行う操作について説明する。このデジタルカメラ１において、ユーザは、２通りの、画像を検索して液晶モニタに表示を行う操作を行うことができる。
【００６８】
はじめに、画像操作キー７５及び十字操作キー７３を用いた画像の検索について説明する。図１１（ａ）、（ｂ）及び（ｃ）は、いずれも本発明の実施の形態１に係るデジタルカメラの画像記録部に含まれるリムーバブルメディアに格納された静止画像信号を液晶モニタＬＣＤ上にサムネイル表示した画面である。図１１（ａ）、（ｂ）及び（ｃ）は、それぞれ、リムーバブルメディアに格納された１枚目から９枚目までの画像信号、３７枚目から４５枚目の画像信号、８２枚目から９０枚目までの画像信号に対応するサムネイルを液晶モニタＬＣＤ上に表示した画面である。
【００６９】
再生モードにおいて、ユーザが画像操作キー７５の上矢印キーを押すと、マイクロコンピュータ４９は、画像表示制御部５８を制御して、図１１（ａ）に示すように、液晶モニタＬＣＤ上に９個の画像信号に対応する９個のサムネイルを表示させる。このとき、液晶モニタＬＣＤは、１枚目の画像信号に対応するサムネイルに付された番号１をハイライト表示する。
【００７０】
ここで、ユーザが画像操作キー７５の下矢印キーを押すと、マイクロコンピュータ４９は、画像表示制御部５８を制御して、液晶モニタＬＣＤ上に番号１のサムネイルに対応する画像を１枚だけ表示させる。ユーザがさらに画像操作キー７５の下矢印キーを押すと、マイクロコンピュータ４９は、画像表示制御部５８を制御して、液晶モニタＬＣＤ上に番号１の画像を拡大して表示させる。
【００７１】
また、９画面のサムネイルが表示された状態において、ユーザが十字操作キー７３の右矢印キーを押すと、マイクロコンピュータ４９は、選択する画像を順送りする。また、マイクロコンピュータ４９は、併せて画像表示制御部５８を制御して、各サムネイルに付されたハイライト表示される番号を順送りさせる。
【００７２】
選択する画像を順送りして９枚目の画像信号に対応するサムネイルに至り、９枚目の画像の番号９がハイライト表示された状態において、ユーザが十字操作キー７３の右矢印キーを押すと、マイクロコンピュータ４９は、画像表示制御部５８を制御して、液晶モニタＬＣＤ上に新たな９個のサムネイルを表示させる。ユーザが十字操作キー７３の右矢印キーを押し続けると、マイクロコンピュータ４９は、選択される画像を順送りする。マイクロコンピュータ４９は、併せて画像表示制御部５８を制御して、液晶モニタＬＣＤ上にサムネイルに付されたハイライト表示する番号を変更させる。図１１（ｂ）は、このようなユーザの操作により、３７枚目の画像が選択された状態を示している。図１１（ｃ）は、ユーザのさらなる操作により、９０枚目の画像が選択された状態を示している。
【００７３】
このように、ユーザが十字操作キー７３の右矢印キーを押すことにより、マイクロコンピュータ４９は、液晶モニタＬＣＤ上にサムネイル表示の表示を伴って所望の画像を選択する。また、ユーザが十字操作キー７３の左矢印キーを押すと、マイクロコンピュータ４９は、液晶モニタＬＣＤ上にサムネイル表示の表示を伴って逆送りに画像を選択する。
【００７４】
次に、フォーカスリング３２を用いた画像の検索について説明する。リムーバブルメディアに格納された画像は、予めフォーカスリング３２の回転角度に応じた番地が付されている。フォーカスリング３２は、図７を用いて説明したように、回転角度に応じてリニアの出力を得ることが可能である。したがって、Ａ／Ｄ変換部３５ａを１０ＢｉｔのＡ／Ｄ変換器とすることにより、フォーカスリング３２の回転角度に応じた番地を定義することができる。
【００７５】
すなわち、フォーカスリング３２のマニュアル撮影領域の文字［０．３］を示す位置を［１］番地とし、オートマクロ領域の文字［ＡＦ−Ｍａｃｒｏ］を示す位置を［１０２４］番地とする。このフォーカスリング３２のうち、マニュアルフォーカス領域を示す文字［０．３］から［∞］の位置までを、撮影画像の選択に用いるようにし、その回転角度に応じて、［１］番地から［９００］番地と定義する。
【００７６】
図１２は、本発明の実施の形態１に係るデジタルカメラの画像に付された番地を示すテーブルである。例えば、デジタルカメラ１のリムーバブルメディアに撮影画像が９０枚保存されている場合、マイクロコンピュータ４９は、それぞれの撮影画像に対応する番地をメモリ６６に関連付けて記憶する。つまり、１枚目の画像には［１〜１０］番地、２番目の画像には［１１〜２０］番地を、９０番目の画像には［８９０〜９００］番地を割り当てる。
【００７７】
以上のように番地を付された状態で、フォーカスリング３２上の文字［０．３］が指標３３と一致した場合、マイクロコンピュータ４９は、フォーカスリニアセンサ３５からの出力をＡ／Ｄ変換部３５ａにより変換した値として［１〜１０］番地を読みとる。マイクロコンピュータ４９は、メモリ６６に格納されたテーブルを参照して１枚目の画像に対応することを判断して、１枚目の画像を選択する。マイクロコンピュータは、併せて画像表示制御部５８を制御して、液晶モニタＬＣＤ上に図１１（ａ）に示す９個のサムネイルを表示させ、１枚目の画像の番号１をハイライト表示させる。
【００７８】
この状態で、ユーザがフォーカスリング３２を左方向に回転すると、マイクロコンピュータ４９は、フォーカスリニアセンサ３５からの出力をＡ／Ｄ変換部３５ａにより変換した値に基づいて、選択される画像を順送りする。また、マイクロコンピュータ４９は、併せて画像表示制御部５８を制御して、各サムネイルに付されたハイライト表示される番号を順送りさせる。
【００７９】
選択する画像を順送りして９枚目の画像信号に対応するサムネイルに至り、９枚目の画像の番号９がハイライト表示された状態において、ユーザがフォーカスリング３２を左方向に回転すると、マイクロコンピュータ４９は、画像表示制御部５８を制御して、液晶モニタＬＣＤ上に新たな９個のサムネイルを表示させる。ユーザがフォーカスリング３２を左方向に回転し続けると、マイクロコンピュータ４９は、選択される画像を順送りする。マイクロコンピュータ４９は、併せて画像表示制御部５８を制御して、液晶モニタＬＣＤ上にサムネイルに付されたハイライト表示する番号を変更させる。
【００８０】
また、ユーザがフォーカスリング３２を左方向に大きく回転させ、フォーカスリング３２上の文字［０．６］が指標３３と一致した場合、マイクロコンピュータ４９は、フォーカスリニアセンサ３５からの出力をＡ／Ｄ変換部３５ａにより変換した値に基づいて、３７枚目の画像を選択する。マイクロコンピュータ４９は、併せて画像表示制御部５８を制御して、液晶モニタＬＣＤ上に、図１１（ｂ）に示す９個のサムネイルを表示させ、サムネイルに付された番号３７をハイライト表示させる。
【００８１】
さらに、ユーザがフォーカスリング３２を左方向に大きく回転させ、フォーカスリング３２上の文字［∞］が指標３３と一致した場合、マイクロコンピュータ４９は、フォーカスリニアセンサ３５からの出力をＡ／Ｄ変換部３５ａにより変換した値に基づいて、９０枚目の画像を選択する。マイクロコンピュータ４９は、併せて画像表示制御部５８を制御して、液晶モニタＬＣＤ上に図１１（ｃ）に示す９個のサムネイルを表示させ、最後の９０枚目の画像の番号９０をハイライト表示させる。
【００８２】
このように、ユーザがフォーカスリング３２を左方向に回転することにより、マイクロコンピュータ４９は、液晶モニタＬＣＤ上にサムネイル表示の表示を伴って所望の画像を選択する。また、ユーザがフォーカスリング３２を左方向に回転することにより、マイクロコンピュータ４９は、液晶モニタＬＣＤ上にサムネイル表示の表示を伴って逆送りに画像を選択する。
【００８３】
以上説明した実施の形態１に係るデジタルカメラは、フォーカスリング３２の回転角度に対応して画像１枚ごとに番地を割り当てる例を示したが、これに限られない。図１３は、本発明の実施の形態１の変形例に係るデジタルカメラの画像に付された番地を示すテーブルである。
【００８４】
実施の形態１の変形例に係るデジタルカメラは、実施の形態１とは異なり、画像に付す番地を階層ディレクトリのごとく多段に構成している。図１３に示すように、予め最上層を画像フォルダとし、画像フォルダ［１］であるＡ／Ｄ変換値［１〜１０］番地に、１枚目〜９０枚目までの画像を対応させ、画像フォルダ［２］であるＡ／Ｄ変換値［１１〜２０］番地に、９１枚目〜１８０枚目までの画像を対応させ、以下順次画像フォルダ［９０］であるＡ／Ｄ変換値［８９０〜９００］まで、フォルダごとに画像を格納する。また、各画像フォルダ内の画像は、実施の形態１と同様にＡ／Ｄ変換値を割り当て格納しておく。
【００８５】
この状態において、フォーカスリング３２上の文字［０．３］が指標３３と一致した場合、マイクロコンピュータ４９は、フォーカスリニアセンサ３５からの出力をＡ／Ｄ変換部３５ａにより変換した値に基づいて、Ａ／Ｄ変換値［１〜１０］を特定して画像フォルダ［１］を選択する。マイクロコンピュータ４９は、併せて画像表示制御部５８を制御して、画像フォルダ［１］から［９］に含まれる９個の各先頭画像のサムネイルを、表示する。
【００８６】
この状態において、ユーザがＳＥＴキー７４を押すと、マイクロコンピュータ４９は、図１１（ａ）に示す１枚目の画像を含む９個のサムネイルを表示する。以下、ユーザが実施の形態１と同様の操作を行うことにより、所望の画像を選択することができる。
【００８７】
以上説明した、実施の形態１の変形例に係るデジタルカメラによれば、格納された枚数が多量になっても、フォーカスリング３２のＡ／Ｄ変換値が細かくなって操作性が低下することがない。したがって、ユーザの操作性を更に向上させることができる。
【００８８】
なお、上記説明において画像が９０枚の場合について説明したが、画像の枚数は任意であり限られない。画像の枚数が増加した場合、画像１枚あたりのＡ／Ｄ変換値の番地の範囲を小さくすればよい。また、Ａ／Ｄ変換器のｂｉｔ数については、１０ｂｉｔに限るものではない。
【００８９】
なお、実施の形態１に係るデジタルカメラは、フォーカスリング３２の回転角度に対応して画像に割り当る番地を撮影順の時系列で付す例を示したが、これに限られない。例えば、フォーカスリング３２の回転角度に対応して画像に割り当る番地を画像に付された属性に基づいて付してもよい。画像に付された属性には、ＧＰＳ等を用いて特定される画像の撮影場所の情報、画像を撮影した撮影者、撮影された期間、撮影対象等が含まれる。実施の形態１の変形例で説明した画像フォルダを、画像の属性に対応させてもよい。
【００９０】
以上説明したように、実施の形態１に係るデジタルカメラは、ユーザがフォーカスリング３２を回転させるだけで、ダイレクトに所定の撮影画像を表示させることが可能となる。特に、実施の形態１に係るデジタルカメラは、ユーザが直径の大きなフォーカスリング３２を回転させるため、従来の小さな十字操作キー７３を順番に押す操作に比べ、操作性に優れ、所望の画像を短時間で検索することが可能となる。また、フォーカスリング３２は、レンズ鏡筒に配置された構成であるから、操作部材の配置のために新たなスペースや部品を必要とすることがない。
【００９１】
また、実施の形態１に係るデジタルカメラは、画像を検索する際、画像の順番とフォーカスリング３２の回転角度とが一対一で対応するため、容易に所望の画像検索をすることができる。
【００９２】
また、実施の形態１に係るデジタルカメラは、静止画像が撮影された順に所定の番地を割り付けて格納ので、ユーザがフォーカスリング３２を回転操作することにより、時系列で画像がスクロールされ、容易に所望の静止画像を特定することができる。
【００９３】
また、実施の形態１の変形例に係るデジタルカメラは、静止画像に付された所定の属性に基づいて所定の番地を割り付けて格納するので、ユーザがフォーカスリング３２を回転操作することにより、属性ごとに画像がスクロールされ、容易に所望の静止画像を特定することができる。
【００９４】
（実施の形態２）
次に、本発明の実施の形態２に係るデジタルカメラを説明する。実施の形態２に係るデジタルカメラは、概略構成を実施の形態１に係るデジタルカメラと同じくするので、相違する部分のみを説明する。
【００９５】
実施の形態２に係るデジタルカメラは、動画像の再生にフォーカスリング３２を用いる点に特徴を有する。以下、実施の形態２に係るデジタルカメラにおいて、画像を検索して液晶モニタに表示を行う操作について説明する。このデジタルカメラにおいて、ユーザは、２通りの、画像を検索して液晶モニタに表示を行う操作を行うことができる。
【００９６】
はじめに、画像操作キー７５及び十字操作キー７３を用いた画像の検索について説明する。図１４は、本発明の実施の形態２に係るデジタルカメラの画像記録部に含まれるリムーバブルメディアに格納された動画像信号の先頭のキャプチャー画像を液晶モニタＬＣＤ上にサムネイル表示した画面である。再生モードにおいて、ユーザが画像操作キー７５の上矢印キーを押すと、マイクロコンピュータ４９は、画像表示制御部５８を制御して、図１４に示すように、液晶モニタＬＣＤ上に９個の動画像信号の先頭のキャプチャー画像に対応する９個のサムネイルを表示させる。このとき、液晶モニタＬＣＤは、１枚目の動画像信号に対応するサムネイルに付された番号１をハイライト表示する。
【００９７】
この状態で、ユーザがＳＥＴボタン７４を押すと、マイクロコンピュータ４９は、動画像の再生を認識する。図１５（ａ）及び（ｂ）は、本発明の実施の形態２に係るデジタルカメラの画像記録部に含まれるリムーバブルメディアに格納された動画像信号の再生の状態を示す画面である。リムーバブルメディアに格納された動画像信号は、所定のタイミングごとにキャプチャー画像が生成される。実施の形態２の場合、９０秒間撮影された動画像を９分割して、動画像のタイムコードを番号（１〜９）に対応させている。したがって、タイムコード１に対して、動画像の先頭のキャプチャー画像が生成される。また、タイムコード９に対して、開始から８１秒経過後の動画像のキャプチャー画像が生成される。
【００９８】
図１５（ａ）は、動画像のタイムコード１である先頭のキャプチャー画像に対応する。図１５（ｂ）は、動画像のタイムコード９である開始から８１秒経過後のキャプチャー画像に対応する。なお、図１５（ａ）及び（ｂ）の画面下方に表示される矢印を含むルーラは、動画像のタイミングを示し、左側から右側にかけて時系列に対応している。動画像の再生を認識すると、マイクロコンピュータ４９は、画像表示制御部を制御して、液晶モニタＬＣＤ上に図１５（ａ）から（ｂ）に示すように動画像を再生させる。
【００９９】
次に、フォーカスリング３２を用いた動画像の検索について説明する。図１６は、本発明の実施の形態２に係るデジタルカメラの画像に付された番地を示すテーブルである。動画像については、フォーカスリング３２の回転角度に応じて、番地が付されている。
【０１００】
例えば、デジタルカメラ１に９０秒間撮影された動画像が保存されている状態において、マイクロコンピュータ４９は、動画像のタイムコード（１〜９０）に対応する番地をメモリ６６に関連付けて保存する。すなわち、動画像のタイムコード１には、［１〜１０］番地、タイムコード２には［１１〜２９］番地を、タイムコード９０には［８９０〜９００］番地を割り当てる。
【０１０１】
以上の構成において、フォーカスリング３２上の文字［０．３］が指標３３と一致した場合、マイクロコンピュータ４９は、画像表示制御部５８を制御して、図１５（ａ）に示す動画像のキャプチャー画像を液晶モニタＬＣＤ上に表示させる。さらに、マイクロコンピュータ４９は、画像表示制御部５８を制御して、図１５（ａ）に示す先頭のキャプチャー画像の位置から動画像の再生を行う。
【０１０２】
ユーザがフォーカスリング３２を左方向に大きく回転させ、フォーカスリング３２の文字［０．６］が指標３３と一致した場合、マイクロコンピュータは、画像表示制御部５８を制御して、９０秒間の動画像の中で、４５秒経過後のキャプチャー画像を液晶モニタＬＣＤ上に表示させ、その位置から動画像の再生を開始させる。
【０１０３】
さらに、ユーザが、フォーカスリング３２を左方向に大きく回転させ、フォーカスリング３２上の文字［∞］が指標３３と一致したとき場合は、マイクロコンピュータ４９は、画像表示制御部５８を制御して、図１５（ｂ）に示す動画像のキャプチャー画像を液晶モニタＬＣＤ上に表示させる。さらに、マイクロコンピュータ４９は、画像表示制御部５８を制御して、図１５（ｂ）に示す開始から７２秒経過後のキャプチャー画像の位置から動画像の再生を行う。
【０１０４】
以上説明したように、実施の形態２に係るデジタルカメラは、フォーカスリング３２を回転させるだけで、ダイレクトに所定の場面の動画像を再生させることが可能となる。特に、実施の形態２に係るデジタルカメラは、ユーザが直径の大きなフォーカスリング３２を回転させるため、従来の小さな十字操作キー７３を順番に押す操作に比べ、操作性に優れている。また、フォーカスリング３２は、レンズ鏡筒に配置された構成であるから、操作部材の配置のために新たなスペースや部品を必要とすることがない。
【０１０５】
また、実施の形態２に係るデジタルカメラは、画像を検索する際、動画像のタイミングとフォーカスリング３２の回転角度とが一対一で対応するため、容易に所望の動画像の検索をすることができる。
【０１０６】
（実施の形態３）
以上説明した各実施の形態は、含まれる構成要素がすべて一体的に配置されるカメラに適用した例であったが、本発明はこれらに限定されるものではない。例えば、本発明は、監視カメラシステムやＷｅｂカメラのように、撮影光学系を保持するレンズ鏡筒と撮像センサとを含む撮像装置と、この撮像装置を制御する制御装置とが別々に構成されるシステムに対しても適用することができる。
【０１０７】
上記のシステムに適用する場合、各実施の形態で説明したマイクロコンピュータに対応する制御部、画像記憶部、液晶モニタ等は、制御装置側に含まれる。したがって、上記のシステムにおいて、レンズ鏡筒に設けられたフォーカスリングの回転角度を検出するフォーカスリニアセンサからの出力を制御装置側の制御部へ入力させ、制御装置側で画像の選択を行う構成にすればよい。この場合も同様の効果を奏することができる。
【０１０８】
また別の例として、一眼レフレックスカメラシステムのように、撮影光学系を保持するレンズ鏡筒と、撮像センサを含むカメラ本体とが別々に構成されるシステムに対しても適用することができる。
【０１０９】
上記のシステムに適用する場合、各実施の形態で説明したマイクロコンピュータに対応する制御部、画像記憶部、液晶モニタ等は、カメラ本体に含まれる。したがって、上記のシステムにおいて、レンズ鏡筒に設けられた絞りリングの回転角度を検出する絞りリニアセンサからの出力をカメラ本体のマイクロコンピュータ等の制御部へ入力させ、カメラ本体側で画像の選択を行う構成にとすればよい。この場合も同様の効果を奏することができる。
【０１１０】
（その他の実施の形態）
なお、以上説明した各発明の実施の形態は、その内容に具体的な態様に限られず、適宜変更することが可能である。
【０１１１】
例えば、各実施の形態においては、フォーカスリングの絶対角度検出をする際に、摺動子を持つリニアセンサを用いたが、接点ブラシと導電パターンを用いたリニアセンサとしてもよい。また、リニアセンサの代わりに、回転量を検出するロータリエンコーダを用いてもよい。
【０１１２】
また、各実施の形態においては、フォーカスリングにより操作について説明したが、絞りリングに、その機能を割り当てもよい。
【０１１３】
また、各実施の形態においては、ズームリングは手動による回転操作する例を示したが、ズームリングに、実施の形態のフォーカスリングと同様の構成を用いて、モータにより駆動されるパワーズームとしてもよい。
【０１１４】
また、各実施の形態においては、フォーカスリング３２の絶対的な回転角度に応じて画像に番地を付していたが、これに限られない。例えば、レンズ鏡筒をフォーカスリング３２の無限回転を許容する構成にし、ユーザによるレンズ鏡筒の操作のたびに信号をリセットして、常にリセット位置からの相対的な回転角度を検出するようにしてもよい。
【産業上の利用可能性】
【０１１５】
本発明は、撮影／再生モードの設定メニューの操作性に優れたカメラを提供することができる。また、本発明のレンズ鏡筒および撮像装置を、携帯電話端末やＰＤＡ（Ｐｅｒｓｏｎａｌ  Ｄｉｇｉｔａｌ  Ａｓｓｉｓｔ）などのモバイル機器に適用することにより、これらの機器に、操作性がよいデジタルカメラを提供することができる。
【図面の簡単な説明】
【０１１６】
【図１】本発明の実施の形態１に係るデジタルカメラの上面図
【図２】本発明の実施の形態１に係るデジタルカメラの背面図
【図３】（ａ）は、本発明の実施の形態１に係るフォーカスリングの外周面の展開図、（ｂ）は、本発明の実施の形態１に係るフォーカスリングの内周面の展開図
【図４】本発明の実施の形態１に係るレンズ鏡筒の断面図
【図５】本発明の実施の形態１に係るフォーカスリングとフォーカスリニアセンサの結合を示す断面図
【図６】（ａ）は、本発明の実施の形態１のレンズ鏡筒のフォーカスリニアセンサの回路図、（ｂ）は、本発明の実施の形態１のレンズ鏡筒のフォーカスリニアセンサの出力を表すグラフ
【図７】本発明の実施の形態１に係るフォーカスリングの回転角度と絞りリニアセンサの出力値の関係を示すグラフ
【図８】（ａ）は、本発明の実施の形態１に係るフォーカスリングが第１の停止位置にある場合の略断面図、（ｂ）は、本発明の実施の形態１に係るフォーカスリングが第１の停止位置と第２の停止位置との間にある場合の略断面図、（ｃ）は、本発明の実施の形態１に係るフォーカスリングが第２の停止位置にある場合の略断面図
【図９】本発明の実施の形態１に係る絞りリングの外周面の展開図
【図１０】本発明の実施の形態１に係るデジタルカメラの制御システムを示すブロック図
【図１１】本発明の実施の形態１に係るデジタルカメラの画像記録部に含まれるリムーバブルメディアに格納された静止画像信号を液晶モニタＬＣＤ上にサムネイル表示した画面
【図１２】本発明の実施の形態１に係るデジタルカメラの画像に付された番地を示すテーブル
【図１３】本発明の実施の形態１の変形例に係るデジタルカメラの画像に付された番地を示すテーブル
【図１４】本発明の実施の形態２に係るデジタルカメラの画像記録部に含まれるリムーバブルメディアに格納された動画像信号の先頭のキャプチャー画像を液晶モニタＬＣＤ上にサムネイル表示した画面
【図１５】本発明の実施の形態２に係るデジタルカメラの画像記録部に含まれるリムーバブルメディアに格納された動画像信号の再生の状態を示す画面
【図１６】本発明の実施の形態２に係るデジタルカメラの画像に付された番地を示すテーブル
【符号の説明】
【０１１７】
ＢＤ  本体
ＴＬ  撮像装置
Ｌ  撮影光学系
１  デジタルカメラ
２  レンズユニット
２２  絞りユニット
２６  ズームリング
２９  フィルタマウント
３２  フォーカスリング
３３  指標
３６  リング固定枠
４０  絞りリング
４１  絞りリニアセンサ
４２  絞りリングのカム溝
４３  絞りモード切り替えボタン
４６  レンズ鏡筒
４９  マイクロコンピュータ
６０  ズーム制御部
６１  フォーカス制御部
６２  絞り制御部
６３  シャッターボタン
６４  シャッタースピード設定ダイヤル
６５  シャッター制御部
７０  電源ボタン
７１  撮影／再生モード切り替えレバー
７２  ＭＥＮＵボタン
７３  十字操作キー
７４  ＳＥＴボタン
７５  画面操作キー
【図１】
2005295056.tif 000003
【図２】
2005295056.tif 000004
【図３】
2005295056.tif 000005
【図４】
2005295056.tif 000006
【図５】
2005295056.tif 000007
【図６】
2005295056.tif 000008
【図７】
2005295056.tif 000009
【図８】
2005295056.tif 000010
【図９】
2005295056.tif 000011
【図１０】
2005295056.tif 000012
【図１１】
2005295056.tif 000013
【図１２】
2005295056.tif 000014
【図１３】
2005295056.tif 000015
【図１４】
2005295056.tif 000016
【図１５】
2005295056.tif 000017
【図１６】
2005295056.tif 000018